(57)【要約】  （Ａ）エピクロロヒドリン系重合体、（Ｂ）架橋剤、及び（Ｃ）ハイドロタルサイト類を含有する美容器具用組成物。（Ｂ）架橋剤がキノキサリン系架橋剤、チオウレア系架橋剤、トリアジン系架橋剤から選択される少なくとも一種の架橋剤であることが好ましい。また、（Ａ）エピクロロヒドリン系重合体におけるエピクロロヒドリン由来の重合単位のモル比率が６０ｍｏｌ％以上であることが好ましい。さらに、（Ａ）エピクロロヒドリン系重合体１００重量部に対して（Ｃ）ハイドロタルサイト類を１〜２０重量部含有することが好ましい。【特許請求の範囲】
【請求項１】
（Ａ）エピクロロヒドリン系重合体、（Ｂ）架橋剤、及び（Ｃ）ハイドロタルサイト類を含有することを特徴とする美容器具用組成物。
【請求項２】
（Ｂ）架橋剤がキノキサリン系架橋剤、チオウレア系架橋剤、トリアジン系架橋剤から選択される少なくとも一種の架橋剤であることを特徴とする請求項１に記載の美容器具用組成物。
【請求項３】
（Ａ）エピクロロヒドリン系重合体におけるエピクロロヒドリン由来の重合単位のモル比率が６０ｍｏｌ％以上であることを特徴とする請求項１又は２に記載の美容器具用組成物。
【請求項４】
（Ａ）エピクロロヒドリン系重合体１００重量部に対して（Ｃ）ハイドロタルサイト類を１〜２０重量部含有することを特徴とする請求項１〜３いずれかに記載の美容器具用組成物。
【請求項５】
請求項１〜４いずれかに記載する美容器具用組成物を用いて作製された架橋物。
【請求項６】
ＪＩＳ  Ｋ６２５８に準拠する浸漬試験においてオレイン酸液中に温度８０℃で１７時間浸漬させた後の体積変化率が１５％以下であること特徴とする請求項５に記載の架橋物。
【請求項７】
請求項５又は６記載の架橋物よりなる美容器具用ゴム材料。
【請求項８】
請求項１〜７いずれかに記載する美容器具用組成物、架橋物、又は美容器具用ゴム材料を用いてなる美容器具。
【発明の詳細な説明】
【技術分野】
【０００１】
本発明は、脱毛器、電気シェーバー等の剃刀、フェイスローラー、美顔器等の美容器具に用いるためのエピクロロヒドリン系重合体を含有する組成物、及びその組成物を架橋してなる架橋物に関する。以下では、上記架橋物により構成される材料を「ゴム材料」または「架橋ゴム材料」ということがある。
【背景技術】
【０００２】
脱毛器、電気シェーバー等の剃刀、フェイスローラー、美顔器等といった美容器具は皮膚と接触する器具であり、皮脂に対する耐性に優れている材料が求められている。【０００３】
皮脂を分泌する皮脂腺は体中に分布しているが、手や足といった身体の部位と比較して、顔には多くの皮脂腺を有している。そのため、顔は皮脂を多く有していると言える。また、皮脂の成分はオレイン酸、ワックスエステル、皮脂酸、スクワレン等から構成されており、その中でオレイン酸が最も多く含まれている成分であることが知られている。【０００４】
従来では、電気シェーバーといった美容器具に用いられるゴムとしては、アクリロニトリルブタジエンゴム（ＮＢＲ）が知られているが、皮脂成分への膨潤度が高いといった問題が指摘されている。
【先行技術文献】
【特許文献】
【０００５】
【特許文献１】特開２０１０−２４０１７３号
【発明の概要】
【発明が解決しようとする課題】
【０００６】
ところで、エピクロロヒドリン系重合体を含有するエピクロロヒドリンゴム材料はその耐熱性、耐油性、耐オゾン性等を活かして、自動車用途では燃料ホースやエアー系ホース、チューブ材料として幅広く使用されている。本発明者らはエピクロロヒドリンゴム材料を美容器具用途に使用することを試みたが、アクリロニトリルブタジエンゴム同様に、オレイン酸等の皮脂に含まれる成分に対して、膨潤度が高く、改良の余地があることが判明した。【０００７】
本発明は、上記事情に着目してなされたものであり、耐オレイン酸性に優れた美容器具に用いられるゴム材料、及び上記ゴム材料のための組成物を提供することを課題とする。【０００８】
本発明者らは、エピクロロヒドリン系重合体、架橋剤、ハイドロタルサイト類を含有することを特徴とする組成物を架橋してなる架橋物が、優れた耐オレイン酸性を示すことを見出し、本発明を完成するに至った。【０００９】
即ち、本発明は、以下のように記載することもできる。
項１  （Ａ）エピクロロヒドリン系重合体、（Ｂ）架橋剤、及び（Ｃ）ハイドロタルサイト類を含有することを特徴とする美容器具用組成物。
項２  （Ｂ）架橋剤がキノキサリン系架橋剤、チオウレア系架橋剤、トリアジン系架橋剤から選択される少なくとも一種の架橋剤であることを特徴とする項１に記載の美容器具用組成物。
項３  （Ａ）エピクロロヒドリン系重合体におけるエピクロロヒドリン由来の重合単位のモル比率が６０ｍｏｌ％以上であることを特徴とする項１又は２に記載の美容器具用組成物。
項４  （Ａ）エピクロロヒドリン系重合体１００重量部に対して（Ｃ）ハイドロタルサイト類を１〜２０重量部含有することを特徴とする項１〜３いずれかに記載の美容器具用組成物。
項５  項１〜４いずれかに記載する美容器具用組成物を用いて作製された架橋物。
項６  ＪＩＳ  Ｋ６２５８に準拠する浸漬試験においてオレイン酸液中に温度８０℃で１７時間浸漬させた後の体積変化率が１５％以下であること特徴とする項５に記載の架橋物。
項７  項６又は７記載の架橋物よりなる美容器具用ゴム材料。
項８  項１〜７いずれかに記載する美容器具用組成物、架橋物、又は美容器具用ゴム材料を用いてなる美容器具。
【発明の効果】
【００１０】
本発明により得られた架橋物、及びゴム材料は、優れた耐オレイン酸性を示すため、脱毛器、電気シェーバー等の剃刀、フェイスローラー、美顔器等といった美容器具に好適に用いられる。
【発明を実施するための形態】
【００１１】
以下に、本発明の美容器具用組成物、及び美容器具用組成物を架橋してなる、例えば美容器具用ゴム材料として使用する架橋物について詳細に説明する。まず、本発明の美容器具用組成物は（Ａ）エピクロロヒドリン系重合体、（Ｂ）架橋剤、及び（Ｃ）ハイドロタルサイト類を含有する。以下、上記組成物を構成する各成分について説明する。
【００１２】
（Ａ）エピクロロヒドリン系重合体
本発明の美容器具用組成物に用いられる（Ａ）エピクロロヒドリン系重合体は、エピクロロヒドリンに由来する構成単位（−ＣＨ２−ＣＨ（ＣＨ２Ｃｌ）−Ｏ−）として有する開環重合体であり、具体的にはエピクロロヒドリンの開環重合体、エピクロロヒドリンとエピクロロヒドリンと共重合可能な単量体との開環重合体であり、エピクロロヒドリンとエピクロロヒドリンと共重合可能な単量体として、エチレンオキサイド、プロピレンオキサイド、ｎ−ブチレンオキサイド等のアルキレンオキシド類、メチルグリシジルエーテル、エチルグリシジルエーテル、ｎ−ブチルグリシジルエーテル、アリルグリシジルエーテル、フェニルグリシジルエーテル等のグリシジル類（グリシジルエーテル類ともいう）に由来する構成単位を更に含んでいてもよい。本発明の（Ａ）エピクロロヒドリン系重合体はエピクロロヒドリンゴムと記載することもできる。
【００１３】
例えば、エピクロロヒドリン単独重合体、エピクロロヒドリンと１種以上のアルキレンオキシド類との二元以上の共重合体、エピクロロヒドリンと１種以上のグリシジル類との二元以上の共重合体、エピクロロヒドリンと１種以上のアルキレンオキシド類と１種以上のグリシジル類との三元以上の共重合体が挙げられる。具体的に例示すれば、エピクロロヒドリン−エチレンオキサイド共重合体（以下、エピクロロヒドリン−エチレンオキサイド二元共重合体ということがある）、エピクロロヒドリン−プロピレンオキサイド共重合体（以下、エピクロロヒドリン−プロピレンオキサイド二元共重合体ということがある）、エピクロロヒドリン−エチレンオキサイド−アリルグリシジルエーテル三元共重合体、エピクロロヒドリン−エチレンオキサイド−プロピレンオキサイド−アリルグリシジルエーテル四元共重合体等を挙げることができ、エピクロロヒドリン単独重合体、エピクロロヒドリン−エチレンオキサイド共重合体、エピクロロヒドリン−エチレンオキサイド−アリルグリシジルエーテル三元共重合体であることが好ましい。これら単独重合体、又は共重合体の分子量は特に制限されないが、通常ムーニー粘度表示でＭＬ１＋４（１００℃）＝３０〜１５０程度である。これらの単独重合体又は共重合体を一種、又は二種以上併用して使用することができる。
【００１４】
（Ａ）エピクロロヒドリン系重合体としては、エピクロロヒドリン由来の重合単位を１０ｍｏｌ％以上含有することが好ましく、４０ｍｏｌ％以上含有することがより好ましく、６０ｍｏｌ％以上含有することが特に好ましい。エピクロロヒドリン由来の重合単位については、塩素含有量等より算出することができる。塩素含有量はＪＩＳ  Ｋ７２２９に記載の方法に従い、電位差滴定法によって求めることができる。
【００１５】
エピクロロヒドリン−エチレンオキサイド共重合体の場合、それら共重合割合は、エピクロロヒドリンは１０ｍｏｌ％以上、９５ｍｏｌ％以下であることが好ましい。下限値については、４０ｍｏｌ％以上であることがより好ましく、６０ｍｏｌ％以上であることが特に好ましい。上限値については、９０ｍｏｌ％以下であることがより好ましく、８５ｍｏｌ％以下であることが特に好ましい。エチレンオキサイドは５ｍｏｌ％以上、９０ｍｏｌ％以下であることが好ましい。下限値については、１０ｍｏｌ％以上であることが好ましく、１５ｍｏｌ％以上であることが特に好ましい。上限値については、６０ｍｏｌ％以下であることがより好ましく、４０ｍｏｌ％以下であることが特に好ましい。
【００１６】
エピクロロヒドリン−エチレンオキサイド−アリルグリシジルエーテル三元共重合体の場合、それら共重合割合は、エピクロロヒドリンは１０ｍｏｌ％以上、９５ｍｏｌ％以下であることが好ましい。下限値については、４０ｍｏｌ％以上であることがより好ましく、６０ｍｏｌ％以上であることが特に好ましい。上限値については、９０ｍｏｌ％以下であることがより好ましく、８５ｍｏｌ％以下であることが特に好ましい。エチレンオキサイドは４ｍｏｌ％以上、８９ｍｏｌ％以下であることが好ましい。下限値については、５９ｍｏｌ％以上であることがより好ましく、３９ｍｏｌ％以上であることが特に好ましい。上限値については、９ｍｏｌ％以下であることがより好ましく、１４ｍｏｌ％以下であることが特に好ましい。アリルグリシジルエーテルは１ｍｏｌ％以上、１０ｍｏｌ％以下であることが好ましい。上限値については、８ｍｏｌ％以下であることがより好ましく、７ｍｏｌ％以下であることが特に好ましい。
【００１７】
エピクロロヒドリン−エチレンオキサイド共重合体、エピクロロヒドリン−エチレンオキサイド−アリルグリシジルエーテル三元共重合体の共重合組成については、塩素含有量、ヨウ素価により求められる。
【００１８】
塩素含有量はＪＩＳ  Ｋ７２２９に記載の方法に従い、電位差滴定法によって測定する。得られた塩素含有量からエピクロロヒドリンに基づく構成単位のモル比率を算出する。
【００１９】
ヨウ素価はＪＩＳ  Ｋ６２３５に準じた方法で測定する。得られたヨウ素価からアリルグリシジルエーテルに基づく構成単位のモル比率を算出する。
【００２０】
エチレンオキサイドに基づく構成単位のモル分率は、エピクロロヒドリンに基づく構成単位のモル分率、アリルグリシジルエーテルに基づく構成単位のモル比率より算出する。
【００２１】
尚、本願においては、（Ａ）エピクロロヒドリン系重合体における各構成単位に由来するモル比率は、単独の重合体で構成されていればそのまま適用し、複数の重合体で構成されていれば、各重合体のモル比率と（Ａ）エピクロロヒドリン系重合体における各重合体が占める重量における比率より算出することができる。
【００２２】
（Ｂ）架橋剤
本発明の美容器具用組成物に用いられる（Ｂ）架橋剤（加硫剤という場合もある）としては、エピクロロヒドリン系重合体を架橋できるものであれば特に限定されない。塩素原子の反応性を利用する公知の架橋剤、即ちポリアミン系架橋剤、チオウレア系架橋剤、チアジアゾール系架橋剤、トリアジン系架橋剤、キノキサリン系架橋剤、ビスフェノール系架橋剤等が挙げられ、また、側鎖二重結合の反応性を利用する公知の架橋剤、例えば、有機過酸化物系架橋剤、硫黄、モルホリンポリスルフィド系架橋剤、チウラムポリスルフィド系架橋剤等を例示することができる。
【００２３】
ポリアミン系架橋剤としては、エチレンジアミン、ヘキサメチレンジアミン、ジエチレントリアミン、トリエチレンテトラミン、ヘキサメチレンテトラミン、ｐ−フェニレンジアミン、クメンジアミン、Ｎ，Ｎ’−ジシンナミリデン−１，６−ヘキサンジアミン、エチレンジアミンカーバメート、ヘキサメチレンジアミンカーバメート等が挙げられる。
【００２４】
チオウレア系架橋剤としては、２−メルカプトイミダゾリン（エチレンチオウレア）、１，３−ジエチルチオウレア、１，３−ジブチルチオウレア、トリメチルチオウレア等が挙げられる。
【００２５】
チアジアゾール系架橋剤としては、２，５−ジメルカプト−１，３，４−チアジアゾール、２−メルカプト−１，３，４−チアジアゾール−５−チオベンゾエート等が挙げられる。
【００２６】
トリアジン系架橋剤としては、２，４，６−トリメルカプト−１，３，５−トリアジン、２−ヘキシルアミノ−４，６−ジメルカプトトリアジン、２−ジエチルアミノ−４，６−ジメルカプトトリアジン、２−シクロヘキシルアミノ−４，６−ジメルカプトトリアジン、２−ジブチルアミノ−４，６−ジメルカプトトリアジン、２−アニリノ−４，６−ジメルカプトトリアジン、２−フェニルアミノ−４，６−ジメルカプトトリアジン等が挙げられる。
【００２７】
キノキサリン系架橋剤としては、２，３−ジメルカプトキノキサリン、キノキサリン−２，３−ジチオカーボネート、６−メチルキノキサリン−２，３−ジチオカーボネート、５，８−ジメチルキノキサリン−２，３−ジチカーボネート等が挙げられる。
【００２８】
ビスフェノール系架橋剤としてはビスフェノールＡＦ、ビスフェノールＳ等が挙げられる。
【００２９】
有機過酸化物系架橋剤としては、ｔｅｒｔ−ブチルヒドロパーオキサイド、ｐ−メンタンヒドロパーオキサイド、ジクミルパーオキサイド、ｔｅｒｔ−ブチルパーオキサイド、１，３−ビス（ｔｅｒｔ−ブチルパーオキシイソプロピル）ベンゼン、２，５−ジメチル−２，５−ジ（ｔｅｒｔ−ブチルパーオキシ）ヘキサン、ベンゾイルパーオキサイド、ｔｅｒｔ−ブチルパーオキシベンゾエート等が挙げられる。
【００３０】
モルホリンポリスルフィド系架橋剤としては、モルホリンジスルフィドが挙げられる。
【００３１】
チウラムポリスルフィド系架橋剤としては、テトラメチルチウラムジスルフィド、テトラエチルチウラムジスルフィド、テトラブチルチウラムジスルフィド、ジペンタメチレンチウラムテトラスルフィド、ジペンタメチレンチウラムヘキサスルフィド等が挙げられる。
【００３２】
この中でも、チオウレア系架橋剤、キノキサリン系架橋剤、トリアジン系架橋剤であることが好ましく、２−メルカプトイミダゾリン（エチレンチオウレアともいう）、６−メチルキノキサリン−２，３−ジチオカーボネート、２，４，６−トリメルカプト−Ｓ−トリアジンともいう２，４，６−トリメルカプト−１，３，５−トリアジンであることが特に好ましい。（Ｂ）架橋剤は一種を単独で用いても、二種以上を組み合わせて用いても良い。
【００３３】
本発明の美容器具用組成物において、（Ｂ）架橋剤の含有量は、（Ａ）エピクロロヒドリン系重合体１００重量部に対して、０．１重量部以上、１０重量部以下であることが好ましい。下限値については、０．３重量部以上であることが特に好ましく、上限値については、５重量部以下であることが特に好ましい。（Ｂ）架橋剤の含有量が０．１重量部未満では架橋が不十分となり、１０重量部を超えると架橋物が剛直になりすぎて、エピクロロヒドリン系ゴム組成物を架橋して得られる架橋物の、通常期待される物性が得られなくなる恐れがある。
【００３４】
（Ｃ）ハイドロタルサイト類
本発明の美容器具用組成物に用いられる（Ｃ）ハイドロタルサイト類は炭酸基を有するＭｇ／Ａｌ系層状化合物であり、下記一般式（１）で例示することができる。
ＭｇＸＺｎＹＡｌＺ（ＯＨ）（２（Ｘ＋Ｙ）＋３Ｚ−２）ＣＯ３・ｗＨ２Ｏ      （１）
［式中、ｘとｙ  はそれぞれｘ＋ｙ＝１〜１０の関係を有する０〜１０の実数、ｚは１〜５の実数、ｗは０〜１０の実数をそれぞれ示す］で表わされる。
【００３５】
ハイドロタルサイト類の具体例として、Ｍｇ４．５Ａｌ２（ＯＨ）１３ＣＯ３・３．５Ｈ２Ｏ、Ｍｇ４．５Ａｌ２（ＯＨ）１３ＣＯ３、Ｍｇ４Ａｌ２（ＯＨ）１２ＣＯ３・３．５Ｈ２Ｏ、Ｍｇ５Ａｌ２（ＯＨ）１４ＣＯ３・４Ｈ２Ｏ、Ｍｇ３Ａｌ２（ＯＨ）１０ＣＯ３・１．７Ｈ２Ｏ、Ｍｇ３ＺｎＡｌ２（ＯＨ）１２ＣＯ３・３．５Ｈ２Ｏ、Ｍｇ３ＺｎＡｌ２（ＯＨ）１２ＣＯ３、Ｍｇ４．３Ａｌ２（ＯＨ）１２．６ＣＯ３・３．５Ｈ２Ｏ、Ｍｇ３．５Ｚｎ０．５Ａｌ２（ＯＨ）１２ＣＯ３・３Ｈ２Ｏ、Ｍｇ４Ａｌ２（ＯＨ）１２ＣＯ３・３Ｈ２Ｏ等を挙げることができる。
【００３６】
本発明の美容器具用組成物において、（Ｃ）ハイドロタルサイト類の含有量は、（Ａ）エピクロロヒドリン系重合体１００重量部に対して１重量部以上、２０重量部以下であることが好ましく、１重量部以上、１０重量部以下であることがより好ましく、２重量部以上、７重量部未満であることが好ましい。組成物中の（Ｃ）ハイドロタルサイト類の含有量を上記範囲内に調整した場合、これを架橋してなる架橋物の耐オレイン酸性がさらに向上するため好ましい。加えて、これらの範囲であれば組成物として良好な保存安定性を有し、且つ架橋物が剛直になりすぎることなく、架橋物として優れた耐オレイン酸性を有することになる。尚、（Ｃ）ハイドロタルサイト類はゴム材料から生じうる塩素イオンが構造中に取り込まれ安定化するための受酸剤としても作用するとする。
【００３７】
（Ｄ）その他の構成物
（Ｄ−１）上記（Ｃ）ハイドロタルサイト類以外の受酸剤
本発明の美容器具用組成物において、前記（Ｃ）ハイドロタルサイト類に加えて更に公知の受酸剤を使用してもよい。該受酸剤として、金属化合物及び／又は（Ｃ）ハイドロタルサイト類以外の無機マイクロポーラス・クリスタルが用いられる。
【００３８】
前記金属化合物としては、周期表第ＩＩ族（２族および１２族）の金属の、酸化物、水酸化物、炭酸塩、カルボン酸塩、ケイ酸塩、ホウ酸塩、亜リン酸塩）；周期表第ＩＶ族（４族および１４族）の金属（但し非鉛系金属）の、酸化物、塩基性炭酸塩、塩基性カルボン酸塩、塩基性亜リン酸塩、塩基性亜硫酸塩、三塩基性硫酸塩；等が挙げられる。
【００３９】
前記金属化合物の具体例としては、酸化マグネシウム、水酸化マグネシウム、水酸化バリウム、炭酸バリウム、炭酸ナトリウム、生石灰、消石灰、炭酸カルシウム、ケイ酸カルシウム、ステアリン酸カルシウム、ステアリン酸亜鉛、フタル酸カルシウム、亜リン酸カルシウム、亜鉛華、酸化錫、ステアリン酸錫、塩基性亜リン酸錫、等を挙げることができる。特に好ましくは、受酸剤として酸化マグネシウム、消石灰、生石灰を含有させることである。
【００４０】
前記無機マイクロポーラス・クリスタルとは、結晶性の多孔体を意味し、無定型の多孔体、例えばシリカゲル、アルミナ等とは明瞭に区別できるものである。このような無機マイクロポーラス・クリスタルの例としては、ゼオライト類、アルミナホスフェート型モレキュラーシーブ、層状ケイ酸塩、チタン酸アルカリ金属塩等が挙げられる。
【００４１】
前記ゼオライト類は、天然ゼオライトの外、Ａ型、Ｘ型、Ｙ型の合成ゼオライト、ソーダライト類、天然ないしは合成モルデナイト、ＺＳＭ−５などの各種ゼオライト及びこれらの金属置換体であり、これらは単独で用いても２種以上の組み合わせで用いても良い。また金属置換体の金属はナトリウムであることが多い。ゼオライト類としては酸受容能が大きいものが好ましく、Ａ型ゼオライトが好ましい。
【００４２】
本発明のゴム組成物において、前記（Ｃ）ハイドロタルサイト類を除く受酸剤の含有量は、（Ａ）エピクロルヒドリン系重合体１００重量部に対して、０．２〜５０重量部であることが好ましく、１〜２０重量部であることが特に好ましい。
【００４３】
（Ｄ−２）無機充填剤
強度等確保のために無機充填剤を添加してもよい。前記無機充填剤としては、炭酸カルシウム、炭酸マグネシウム、炭酸バリウム等の炭酸塩；硫酸マグネシウム、硫酸バリウム、硫酸カルシウム等の硫酸塩；リン酸リチウム、リン酸カルシウム、リン酸マグネシウム等のリン酸塩；酸化亜鉛、シリカ、酸化ジルコニウム、酸化マグネシウム、酸化カルシウム、酸化チタン、酸化マグネシウム、酸化鉄、アルミナ等の酸化物；ヒドロキシアパタイト、マイカ、タルク、カオリン、クレー、モンモリロナイト等の複合酸化物；水酸化アルミニウム、水酸化マグネシウム等の水酸化物；等が挙げられる。上記化合物を１種用いる他、２種類以上を混合して用いてもよい。好ましくは、上記酸化物、複合酸化物のうちの１以上である。より好ましくは耐熱性と強度の向上に寄与し得るシリカである。
【００４４】
上記無機充填剤の含有量は、（Ａ）エピクロロヒドリン系重合体１００重量部に対して１〜５０重量部であることが好ましく、５〜４０重量部であることがより好ましく、１０重量部超、３０重量部以下の範囲であることが更に好ましい。
【００４５】
（Ｄ−３）
本発明の美容器具用組成物には、本発明の効果を損なわない限り、上記以外の配合剤、例えば、滑剤、老化防止剤、酸化防止剤、紫外線吸収剤や光安定剤等の添加剤、補強剤、可塑剤、加工助剤、難燃剤、架橋促進剤、架橋遅延剤、カーボンブラック、素練り促進剤等を更に任意に配合できる。さらに本発明の特性が失われない範囲で、当該技術分野で通常行われている、ゴム、樹脂等のブレンドを行うことも可能である。
【００４６】
前記架橋促進剤としては、１，８−ジアザビシクロ（５，４，０）ウンデセン−７（以下ＤＢＵと略）塩、１，５−ジアザビシクロ（４，３，０）ノネン−５（以下ＤＢＮと略）塩、脂肪酸のアルカリ金属塩、チアゾール系架橋促進剤、スルフェンアミド系架橋促進剤が挙げられる。
【００４７】
ＤＢＵ塩としては、ＤＢＵ−炭酸塩、ＤＢＵ−ステアリン酸塩、ＤＢＵ−２−エチルヘキシル酸塩、ＤＢＵ−安息香酸塩、ＤＢＵ−サリチル酸塩、ＤＢＵ−３−ヒドロキシ−２−ナフトエ酸塩、ＤＢＵ−フェノール樹脂塩、ＤＢＵ−２−メルカプトベンゾチアゾール塩、ＤＢＵ−２−メルカプトベンズイミダゾール塩等であり、ＤＢＮ塩としては、ＤＢＮ−炭酸塩、ＤＢＮ−ステアリン酸塩、ＤＢＮ−２−エチルヘキシル酸塩、ＤＢＮ−安息香酸塩、ＤＢＮ−サリチル酸塩、ＤＢＮ−３−ヒドロキシ−２−ナフトエ酸塩、ＤＢＮ−フェノール樹脂塩、ＤＢＮ−２−メルカプトベンゾチアゾール塩、ＤＢＮ−２−メルカプトベンズイミダゾール塩等が挙げられる。これらＤＢＵ塩および／またはＤＢＮ塩を促進剤として用いた場合の配合量は、（Ａ）エピクロロヒドリン系重合体１００重量部に対して０．１〜５重量部、例えば０．５〜３重量部である。
【００４８】
脂肪酸のアルカリ金属塩とは、高級脂肪酸、樹脂酸、ナフテン酸などのアルカリ金属塩のことであり、好ましくは炭素数６以上の高級脂肪酸のアルカリ金属塩である。更に具体的には、半硬化牛脂脂肪酸、ステアリン酸、オレイン酸、セバシン酸、ひまし油等のナトリウム塩、カリウム塩が挙げられる。好ましい塩として半硬化牛脂脂肪酸ナトリウム塩、ステアリンナトリウム塩、半硬化牛脂脂肪酸カリウム塩、ステアリンカリウム塩が挙げられ、さらに好ましくはステアリンナトリウム塩、ステアリンカリウム塩が挙げられる。特に、半硬化牛脂脂肪酸ナトリウム塩、ステアリンナトリウム塩等のナトリウム塩を使用する場合は保存安定性が良好であり好ましい。これら脂肪酸のアルカリ金属塩を促進剤として用いる場合、その配合量は、（Ａ）エピクロロヒドリン系重合体１００重量部に対して０．２〜１０重量部、例えば０．５〜７重量部である。
【００４９】
チアゾール系架橋促進剤の例としては、ジ−２−ベンゾチアゾリルジスルフィド、２−メルカプトベンゾチアゾール、ジベンゾチアジルジスルフィド、２−メルカプトベンゾチアゾールの亜鉛塩等が挙げられる。
【００５０】
スルフェンアミド系架橋促進剤としては、Ｎ−エチル−２−ベンゾチアジルスルフェンアミド、Ｎ−ｔ−ブチル−２−ベンゾチアジルスルフェンアミド、Ｎ，Ｎ−ジ−イソプロピル−２−ベンゾチアジルスルフェンアミド、Ｎ，Ｎ−ジ−シクロヘキシル−２−ベンゾチアジルスルフェンアミド、Ｎ−オキシ−ジ−エチレン−２−ベンゾチアジルスルフェンアミド、Ｎ−シクロヘキシル−２−ベンゾチアゾリルスルフェンアミド等が挙げられる。
【００５１】
前記架橋遅延剤としては、Ｎ−シクロヘキシルチオフタルイミド、無水フタル酸、有機亜鉛化合物、酸性シリカ等を挙げることができ、遅延剤の配合量は、（Ａ）エピクロロヒドリン系重合体１００重量部に対して０〜１０重量部、例えば０．１〜５重量部である。
【００５２】
前記滑剤としては、具体的には、例えば、パラフィン・ワックス、炭化水素系ワックスなどのパラフィンおよび炭化水素樹脂；ステアリン酸、パルミチン酸などの脂肪酸；ステアロアミド、オレイル・アミドなどの脂肪酸アミド；ｎ−ブチル・ステアレートなどの脂肪酸エステル；ソルビタン脂肪酸エステル；脂肪アルコール；等が挙げられ、これらを１種単独で用いてもよく、２種以上を併用してもよい。
【００５３】
前記老化防止剤として、公知の、アミン系老化防止剤、フェノール系老化防止剤、ベンズイミダゾール系老化防止剤、ジチオカルバミン酸塩系老化防止剤、チオ尿素系老化防止剤、有機チオ酸系老化防止剤、亜リン酸系老化防止剤が例示され、これらを１種単独で用いてもよく、２種以上を併用してもよい。好ましくは、アミン系老化防止剤、フェノール系老化防止剤、ベンズイミダゾール系老化防止剤、ジチオカルバミン酸塩系老化防止剤であり、より好ましくはジチオカルバミン酸塩系老化防止剤である。
【００５４】
前記可塑剤として、フタル酸ジオクチルなどのフタル酸誘導体、ジブチルジグリコール−アジペートやジ（ブトキシエトキシ）エチルアジペート等のアジピン酸誘導体、セバシン酸ジオクチル等のセバシン酸誘導体、トリオクチルトリメリテート等のトリメリット酸誘導体などが挙げられ、これらを１種単独で用いてもよく、２種以上を併用してもよい。
【００５５】
前記素練り促進剤として、芳香族メルカプタン系化合物、芳香族ジスルフィド系化合物、芳香族メルカプタン金属系化合物、またはこれらの混合系化合物を用いることができ、代表的にはｏ，ｏ−ジベンズアミドジフェニルジスルフィドが挙げられる。
【００５６】
本発明の美容器具用組成物は、カーボンブラックを更に含有しても良い。カーボンブラックは、本発明の効果を損なわない限り、粒径、表面状態等において、限定なく用いることができる。カーボンブラックを具体的に例示すると、ＳＡＦ、ＩＳＡＦ、ＨＡＦ、ＦＥＦ等が用いられる。前記カーボンブラックの含有量は、（Ａ）エピクロロヒドリン系重合体１００重量部に対して、１〜１２０重量部の範囲であることが好ましく、２〜６０重量部であることがより好ましい。
【００５７】
本発明の美容器具用組成物の製造方法としては、少なくとも（Ａ）エピクロロヒドリン系重合体、（Ｂ）架橋剤、及び（Ｃ）ハイドロタルサイト類を混合する工程を有していればよい。また、（Ａ）エピクロロヒドリン系重合体、（Ｂ）架橋剤、及び（Ｃ）ハイドロタルサイト類を混合する工程においては、従来ポリマー加工の分野において用いられている任意の混合手段、例えばミキシングロール、バンバリーミキサー、各種ニーダー類等を用いることができる。
【００５８】
本発明には、前記美容器具用組成物を架橋してなる架橋物も含まれる。この様に前記美容器具用組成物を架橋して得られる本発明の架橋物は、ＪＩＳ  Ｋ６２５８に準拠する浸漬試験においてオレイン酸液中に温度８０℃で１７時間浸漬させた後の体積変化率（ＪＩＳ  Ｋ６２５８に準拠する浸漬試験においてオレイン酸液中に温度８０℃で１７時間浸漬させる前の数値に対して）が絶対値で２０％以下であることが好ましく、絶対値で１５％以下であることが特に好ましい。
【００５９】
本発明の架橋物の製造方法としては、本発明の美容器具用組成物を通常１００〜２００℃に加熱する工程により得られる。架橋時間は温度により異なるが、通常０．５〜３００分の間である。架橋成型の方法としては、金型による圧縮成型（プレス架橋ともいう）、射出成型、スチーム缶、エアーバス、赤外線或いはマイクロウェーブによる加熱等任意の方法を用いることができる。
【００６０】
本発明の美容器具用組成物、又はこれを架橋してなる架橋物により得られたゴム材料は、脱毛器、電気シェーバー等の剃刀、フェイスローラー、美顔器等といった美容器具に好適に用いることができ、多くの皮脂腺を有しており、皮脂を多く有しているとされる顔に用いる電気シェーバー等の剃刀、フェイスローラー、美顔器等の顔用美容器具（美顔器具とも記載する）に特に好適に用いることができる。
【００６１】
以下、本発明を実施例により具体的に説明するが、本発明はこの記載に限定されるものではない。
【００６２】
表１に示す配合で各材料をニーダーおよびオープンロールで混練し、厚さ２〜２．５ｍｍの未架橋ゴムシートを作製した。また、得られた実施例１〜５、比較例１〜２の未架橋ゴムシートをは、１７０℃で１５分プレス架橋し、得られた比較例２の未架橋ゴムシートは、１６０℃で２０分プレス架橋し、２ｍｍ厚の架橋物を得た。得られた架橋物を用い、ＪＩＳ  Ｋ６２５８に準拠する浸漬試験においてオレイン酸液中に温度８０℃で１７時間浸漬させた後の体積変化率を表２に示す。
【００６３】
【表１】
2018079401.tif 000002
【００６４】
表１中の単位は重量部で示す。また、表１中の各符号は以下の化合物を示す。
＊１  株式会社大阪ソーダ製「エピクロロヒドリン−エチレンオキシド共重合体：エピクロマーＣ」５０重量部、「エピクロロヒドリン単独重合体：エピクロマーＨ」５０重量部の混合品（エピクロロヒドリン由来の重合単位７４．５ｍｏｌ％）
＊２  株式会社大阪ソーダ製「エピクロロヒドリン−エチレンオキシド共重合体：エピクロマーＣ」７０重量部、「エピクロロヒドリン単独重合体：エピクロマーＨ」３０重量部の混合品（エピクロロヒドリン由来の重合単位６４．３ｍｏｌ％）
＊３  ＪＳＲ株式会社製「Ｎ２３０Ｓ」
＊４  東海カーボン株式会社製「シーストＳＯ」
＊５  協和化学工業株式会社製「ＤＨＴ−４Ａ」
＊６  協和化学工業株式会社製「酸化マグネシウム：ＭｇＯ＃１５０」
＊７  花王株式会社製「ＮＳソープ」
【００６５】
【表２】
2018079401.tif 000003
【００６６】
表２において、本発明の美容器具用組成物を架橋してなる架橋物である実施例１〜５は、比較例１〜２と比較して、オレイン酸浸漬時の体積変化率が低く、耐オレイン酸性に優れることが示された。
【産業上の利用可能性】
【００６７】
本発明により、エピクロロヒドリン系重合体をベースとした、耐オレイン酸性に優れた組成物及びその架橋物を提供することができる。したがって、本発明の組成物及びその架橋物は脱毛器、電気シェーバー等の剃刀、フェイスローラー、美顔器等に好適に用いることができる。
【手続補正書】
【提出日】平成31年4月24日(2019.4.24)
【手続補正１】
【補正対象書類名】明細書
【補正対象項目名】００６３
【補正方法】変更
【補正の内容】
【００６３】
【表１】
2018079401.tif 000004
【国際調査報告】
2018079401.tif 000005
2018079401.tif 000006
2018079401.tif 000007
2018079401.tif 000008